(57)【要約】【課題】本発明は、かご室壁への取付を容易にするとともに、取り外しも容易にすることを目的とするものである。【解決手段】かご内手摺装置は、手摺本体１１と、手摺本体１１とかご室１内の四隅との間にそれぞれ設けられている第１ないし第４の取付腕１２〜１５とを有している。手摺本体１１は、第１ないし第３の手摺部分１１ａ〜１１ｃを有している。第１ないし第３の手摺部分１１ａ〜１１ｃは、外筒１８をその軸線を中心として回転させることにより、伸縮可能となっている。手摺本体１１は、伸縮機構を調節して、突っ張り力により第１ないし第４の取付腕１２〜１５かご室１内の四隅に押し付けることにより、かご室１内に固定されている。【選択図】図１
2011225349.tif 000002
【特許請求の範囲】
【請求項１】
かご室の第１の側壁に沿って配置される第１の手摺部分と、前記第１の側壁に対向する第２の側壁に沿って配置される第２の手摺部分と、かご出入口に対向する後壁に沿って配置され、前記第１及び第２の手摺部分間に接続されている第３の手摺部分とを有する手摺本体、及び
前記第１ないし第３の手摺部分の長手方向の端部と前記かご室内の四隅との間にそれぞれ設けられている第１ないし第４の取付腕
を備え、
前記第１ないし第３の手摺部分には、前記第１ないし第３の手摺部分を伸縮させる伸縮機構が設けられており、
前記伸縮機構を調節して前記第１ないし第４の取付腕を前記かご室内の四隅に押し付けることにより、前記手摺本体が前記かご室内に固定されることを特徴とするエレベータのかご内手摺装置。
【請求項２】
前記第１ないし第３の手摺部分は、長手方向に分割された複数の分割手摺と、隣接する前記分割手摺の端部が挿入された筒体とをそれぞれ有しており、
前記伸縮機構は、前記分割手摺の端部に設けられた手摺ねじ部と、前記筒体に設けられ前記手摺ねじ部が螺合した筒体ねじ部とにより構成されていることを特徴とする請求項１記載のエレベータのかご内手摺装置。
【請求項３】
前記筒体の前記分割手摺に対する回転を阻止する締付ねじが設けられていることを特徴とする請求項２記載のエレベータのかご内手摺装置。
【請求項４】
前記第１ないし第４の取付腕の前記手摺本体とは反対側の端部には、断面Ｌ字状の取付金具が設けられていることを特徴とする請求項１から請求項３までのいずれか１項に記載のエレベータのかご内手摺装置。
【請求項５】
前記取付金具には、前記かご室の壁面に設けられた穴に挿入される位置決め凸部が設けられていることを特徴とする請求項４記載のエレベータのかご内手摺装置。
【発明の詳細な説明】
【技術分野】
【０００１】
この発明は、エレベータのかご室の壁面に取り付けられるかご内手摺装置に関するものである。
【背景技術】
【０００２】
従来のエレベータのかご内手摺装置では、かご室の側壁を裏面側から貫通したボルトを、化粧パイプに貫通させ、手摺に固定されたナットに螺着することにより、手摺が側壁に固定される（例えば、特許文献１参照）。
【先行技術文献】
【特許文献】
【０００３】
【特許文献１】実開昭５９−１９５１６８号公報
【発明の概要】
【発明が解決しようとする課題】
【０００４】
上記のような従来のかご内手摺装置では、既設の住宅用エレベータ等に設置する場合、側壁の裏面側からボルトを通したり、場合によっては側壁の裏面に補強板を取り付けたりする必要があるため、エレベータ業者に依頼しなければならず、設置費用が高くなる。また、小型の住宅用エレベータ等においては、引越しなどの際に手摺が邪魔になり、家具が運び難くなるといった問題もあった。
【０００５】
この発明は、上記のような課題を解決するためになされたものであり、かご室壁への取付を容易に行うことができるとともに、取り外しも容易に行うことができるエレベータのかご内手摺装置を得ることを目的とする。
【課題を解決するための手段】
【０００６】
この発明に係るエレベータのかご内手摺装置は、かご室の第１の側壁に沿って配置される第１の手摺部分と、第１の側壁に対向する第２の側壁に沿って配置される第２の手摺部分と、かご出入口に対向する後壁に沿って配置され、第１及び第２の手摺部分間に接続されている第３の手摺部分とを有する手摺本体、及び第１ないし第３の手摺部分の長手方向の端部とかご室内の四隅との間にそれぞれ設けられている第１ないし第４の取付腕を備え、第１ないし第３の手摺部分には、第１ないし第３の手摺部分を伸縮させる伸縮機構が設けられており、伸縮機構を調節して第１ないし第４の取付腕をかご室内の四隅に押し付けることにより、手摺本体がかご室内に固定される。
【発明の効果】
【０００７】
この発明のエレベータのかご内手摺装置は、伸縮機構により発生する突っ張り力により手摺本体をかご室内に固定するので、かご室内での作業だけで、かご室壁への取付を容易に行うことができるとともに、取り外しも容易に行うことができる。
【図面の簡単な説明】
【０００８】
【図１】この発明の実施の形態１によるエレベータのかご内手摺装置を示す平面図である。
【図２】図１のＩＩ−ＩＩ線に沿う断面図である。
【図３】図１のかご内手摺装置を示す斜視図である。
【図４】図１のＩＶ部を拡大して示す平面図である。
【図５】図１のかご内手摺装置の図４に示した部分を示す斜視図である。
【図６】図１のＶＩ部を拡大して示す平面図である。
【図７】図１のかご内手摺装置の図６に示した部分を示す斜視図である。
【図８】図１の第１の手摺部分の要部を外筒を破断して示す側面図である。
【図９】図１の第１の手摺部分の要部を外筒を破断して示す分解斜視図である。
【発明を実施するための形態】
【０００９】
以下、この発明を実施するための形態について、図面を参照して説明する。
実施の形態１．
図１はこの発明の実施の形態１によるエレベータのかご内手摺装置を示す平面図、図２は図１のＩＩ−ＩＩ線に沿う断面図、図３は図１のかご内手摺装置を示す斜視図である。図において、かご室１の前面には、かご出入口１ａが設けられている。かご室１は、かご床２、天井３、第１の側壁４、第２の側壁５、袖壁６及び後壁７を有している。かご床２は、かご室１の下部に水平に配置されている。天井３は、かご床２の上方に水平に配置されている。
【００１０】
第１の側壁４、第２の側壁５、袖壁６及び後壁７は、かご床２と天井３との間に垂直に配置されている。第１及び第２の側壁４，５は、かご室１の両側に配置され、互いに対向している。袖壁６は、かご室１の前面でかご出入口１ａの側方に配置されている。後壁７は、かご出入口１ａに対向している。
【００１１】
かご室１の前面には、かご出入口１ａを挟んで袖壁６に対向する戸当たり柱８が立設されている。かご出入口１ａは、一対のかごの戸９ａ，９ｂにより開閉される。袖壁６には、かご操作盤１０が設置されている。袖壁６と第１の側壁４との間、第１の側壁４と後壁７との間、後壁７と第２の側壁５との間、及び第２の側壁５と戸当たり柱８との間には、それぞれ直角な隅部が形成されている。
【００１２】
かご内手摺装置は、断面円形の棒をコ字形に折り曲げた平面形状を有する手摺本体１１と、手摺本体１１とかご室１内の四隅との間にそれぞれ設けられている第１ないし第４の取付腕１２〜１５とを有している。手摺本体１１は、利用者が掴み易いようにかご床２から所定の高さに水平に配置されている。
【００１３】
また、手摺本体１１は、第１の側壁４に沿って配置される第１の手摺部分１１ａと、第２の側壁５に沿って配置される第２の手摺部分１１ｂと、後壁７に沿って配置され、第１及び第２の手摺部分１１ａ，１１ｂ間に接続されている第３の手摺部分１１ｃとを有している。第１及び第２の手摺部分１１ａ，１１ｂは、かご室１の奥行き方向（図１の左右方向）に平行に配置されている。第３の手摺部分１１ｃは、かご室１の幅方向（図１の上下方向）に平行に配置されている。
【００１４】
第１の取付腕１２は、第１の手摺部分１１ａの長手方向の一端部（前端部）に接続されている。第２の取付腕１３は、第２の手摺部分１１ｂの長手方向の一端部（前端部）に接続されている。
【００１５】
第１及び第２の手摺部分１１ａ，１１ｂと第３の手摺部分１１ｃとの接続部分は、所定の曲率半径で緩やかに湾曲されている。第３の取付腕１４は、第１の手摺部分１１ａの長手方向の他端部（後端部）と第３の手摺部分１１ｃの長手方向の一端部との接続部分（湾曲部分）に接続されている。第４の取付腕１５は、第２の手摺部分１１ｂの長手方向の他端部（後端部）と第３の手摺部分１１ｃの長手方向の他端部との接続部分（湾曲部分）に接続されている。
【００１６】
手摺本体１１は、部品としては、直管状の一対の第１の分割手摺１６と、Ｌ字形の一対の第２の分割手摺１７と、これらの分割手摺１６，１７間を連結する筒体としての複数（ここでは３個）の外筒１８とにより構成されている。
【００１７】
第１の手摺部分１１ａは、長手方向の中間部で第１の分割手摺１６と第２の分割手摺１７とに分割され、外筒１８により連結されている。第２の手摺部分１１ｂは、長手方向の中間部で第１の分割手摺１６と第２の分割手摺１７とに分割され、外筒１８により連結されている。第３の手摺部分１１ｃは、長手方向の中間部で２つの第２の分割手摺１７に分割され、外筒１８により連結されている。
【００１８】
図４は図１のＩＶ部を拡大して示す平面図、図５は図１のかご内手摺装置の図４に示した部分を示す斜視図である。第２の取付腕１３は、棒状の取付腕本体１９と、取付腕本体１９の手摺本体１１側端部に固定され、第１の分割手摺１６の端部が挿入された有底円筒状の取付キャップ２０と、取付腕本体１９の手摺本体１１とは反対側の端部に固定された断面Ｌ字状の取付金具２１とを有している。
【００１９】
取付金具２１は、かご室１内の隅部に押し当てられている。また、取付金具２１には、戸当たり柱８に設けられた穴に挿入された位置決め凸部（ダボ）２２が設けられている。第１の取付腕１２は、第２の取付腕１３と同様に、取付腕本体１９、取付キャップ２０、取付金具２１及び位置決め凸部２２を有し、第２の取付腕１３とは対称に構成・配置されている。また、第１の取付腕１２の位置決め凸部２２は、袖壁６に設けられた穴に挿入されている。
【００２０】
図６は図１のＶＩ部を拡大して示す平面図、図７は図１のかご内手摺装置の図６に示した部分を示す斜視図である。第４の取付腕１５は、棒状の取付腕本体２３と、取付腕本体２３の手摺本体１１側端部に固定され、第２の分割手摺１７の湾曲部が挿通されている取付円筒部２４と、取付腕本体２３の手摺本体１１とは反対側の端部に固定された断面Ｌ字状の取付金具２５とを有している。
【００２１】
取付金具２５は、かご室１内の隅部に押し当てられている。また、取付金具２５には、後壁７に設けられた穴に挿入された位置決め凸部（ダボ）２６が設けられている。第３の取付腕１４は、第４の取付腕１５と同様に、取付腕本体２３、取付キャップ２４、取付金具２５及び位置決め凸部２６を有し、第４の取付腕１５とは対称に構成・配置されている。また、第３の取付腕１４の位置決め凸部２６は、後壁７に設けられた別の穴に挿入されている。
【００２２】
図８は図１の第１の手摺部分１１ａの要部を外筒１８を破断して示す側面図、図９は図１の第１の手摺部分１１ａの要部を外筒１８を破断して示す分解斜視図である。第１の分割手摺１６の第２の分割手摺１７側の端部には、手摺ねじ部（雄ねじ部）１６ａが設けられている。外筒１８内には、手摺ねじ部１６ａが挿入され螺合される筒体ねじ部としての外筒ねじ部（雌ねじ部）１８ａが設けられている。
【００２３】
外筒１８内には、径方向内側へ突出し第２の分割手摺１７の外筒１８への挿入量を規制するストッパ部１８ｂが設けられている。外筒１８のストッパ部１８ｂよりも第２の分割手摺１７側には、ねじ穴１８ｃが設けられている。ねじ穴１８ｃには、外筒１８の第２の分割手摺１７に対する回転を阻止する締付ねじ２７が螺着されている。第２の分割手摺１７同士の連結部も、図８と同様に構成されている。
【００２４】
第１ないし第３の手摺部分１１ａ〜１１ｃは、外筒１８をその軸線を中心として回転させることにより、伸縮可能となっている。即ち、伸縮機構は、手摺ねじ部１６ａと外筒ねじ部１８ａとにより構成されている。手摺本体１１は、伸縮機構を調節して、突っ張り力により第１ないし第４の取付腕１２〜１５かご室１内の四隅に押し付けることにより、かご室１内に固定されている。
【００２５】
このようなかご内手摺装置では、伸縮機構により発生する突っ張り力により手摺本体１１をかご室１内に固定するので、かご室１内での作業だけで、かご室壁への取付を容易に行うことができるとともに、取り外しも容易に行うことができる。従って、エレベータ業者に依頼せずに、既設のかご室１に利用者だけでかご内手摺装置を取り付けることができ、また、小型のかご室１でも、かご内手摺装置を取り外して、家具などを容易に積載することができる。
【００２６】
また、手摺ねじ部１６ａと外筒ねじ部１８ａとにより構成された伸縮機構を用いたので、構成が簡単で操作が容易である。
さらに、外筒１８に締付ねじ２７を設けたので、いたずらや振動で外筒１８が回転されて手摺本体１１が外されるのを防止することができる。
【００２７】
さらにまた、第１ないし第４の取付腕１２〜１５に位置決め凸部２２，２６を設けたので、手摺本体１１にある程度の荷重がかかっても、手摺本体１１がずれたり外れたりするのを防止することができる。また、手摺本体１１の位置決めを容易に行うことができ、据付作業が容易であるとともに、手摺本体１１をより正確に水平に設置することができる。なお、位置決め凸部２２，２６が挿入される穴は、ドリル等を用いてかご室１内から容易に設けることができる。
【００２８】
なお、上記の例では、第１の分割手摺１６に手摺ねじ部１６ａを設けたが、第２の分割手摺１７に手摺ねじ部を設けてもよい。即ち、伸縮機構は、外筒１８と第２の分割手摺１７との間に設けてもよい。
また、上記の例では、手摺ねじ部１６ａを雄ねじ部とし、外筒ねじ部１８ａを雌ねじ部としたが、分割手摺の端部内に筒体を挿入する構造とし、手摺ねじ部を雌ねじ部、筒体ねじ部を雄ねじ部としてもよい。
さらに、上記の例では、各手摺部分１１ａ，１１ｂ，１１ｃの分割数は２つに限定されるものではなく、３つ以上の分割手摺に分割することも可能である。
さらにまた、伸縮機構は、ねじ機構に限定されるものではなく、スライド機構等であってもよい。
また、手摺本体１１の断面形状は円形に限定されるものではない。
さらに、各取付腕は、かご室内の隅部を挟んで隣接する２つのかご室壁のうち一方に当接される部分と、他方に当接される部分とに分けてもよい。例えば、第３の取付腕１４は、第１の側壁４に当接される取付腕と、後壁７に当接される取付腕とに分岐又は分割することができる。
【符号の説明】
【００２９】
１  かご室、１ａ  かご出入口、４  第１の側壁、５  第２の側壁、７  後壁、１１  手摺本体、１１ａ  第１の手摺部分、１１ｂ  第２の手摺部分、１１ｃ  第３の手摺部分、１２  第１の取付腕、１３  第２の取付腕、１４  第３の取付腕、１５  第４の取付腕、１６  第１の分割手摺、１６ａ  手摺ねじ部、１７  第２の分割手摺、１８  外筒（筒体）、１８ａ  外筒ねじ部（筒体ねじ部）、２１，２５  取付金具、２２，２６  位置決め凸部。
【図１】
2011225349.tif 000003
【図２】
2011225349.tif 000004
【図３】
2011225349.tif 000005
【図４】
2011225349.tif 000006
【図５】
2011225349.tif 000007
【図６】
2011225349.tif 000008
【図７】
2011225349.tif 000009
【図８】
2011225349.tif 000010
【図９】
2011225349.tif 000011